(57)【要約】【課題】より簡易に目的とするオーディオトラックを再生できるようにスキャン再生を行う「オーディオ再生装置及びスキャン再生制御方法」を提供する。【解決手段】オーディオプレイヤ１１は、スキャンボタン２０５が長押し操作されたならば、長押し期間に比例したスキップステップ数を設定し、スキップステップ数分、再生対象とするオーディオトラックのトラック番号を増加させながら、再生対象となったオーディオトラックの先頭部分を再生していくスキャン再生を開始する。また、その後、スキャンボタン２０５が操作される度に、スキップステップ数を減少させる。そして、再生／一時停止ボタン２０３が操作されたならば、スキャン再生を停止し、その時点の再生対象トラックからの通常の再生を行う。【選択図】図２
2006244648.tif 000002
【特許請求の範囲】
【請求項１】
記録媒体に記録されたオーディオトラックを再生するオーディオ再生装置であって、
再生対象とするオーディオトラックの順番を示すトラック番号を、設定されたスキップステップ数づつ増加させながら、再生対象となったオーディオトラックの先頭部分を再生するスキャン再生を行うスキャン再生手段と、
ユーザの所定のスキャン再生開始操作に応答して、前記スキップステップ数として２以上の整数を設定し、前記スキャン再生手段に前記スキャン再生を行わせると共に、前記スキャン再生手段が前記スキャン再生を行っている期間に、ユーザの所定のスキャンステップ変更操作に応答して、前記スキップステップ数を変化させるスキャン再生制御手段とを有することを特徴とするオーディオ再生装置。
【請求項２】
請求項１記載のオーディオ再生装置であって、
前記スキャン再生制御手段は、前記スキャン再生開始操作によって指定された数を前記スキップステップ数として設定することを特徴とするオーディオ再生装置。
【請求項３】
請求項２記載のオーディオ再生装置であって、
第１のボタンを備え、
前記スキャン再生制御手段は、前記スキャン再生手段が前記スキャン再生を行っていないときにユーザによって行われた、前記第１のボタンの押し操作を前記スキャン再生開始操作として受け付けると共に、当該スキャン再生開始操作として受け付けた前記第１のボタンの押し操作の継続期間に応じた数を、前記スキップステップ数として設定することを特徴とするオーディオ再生装置。
【請求項４】
請求項１、２または３記載のオーディオ再生装置であって、
前記スキャン再生制御手段は、前記スキャンステップ変更操作がある度に、前記スキップステップ数を所定レベルづつ減少させることを特徴とするオーディオ再生装置。
【請求項５】
請求項１、２または３記載のオーディオ再生装置であって、
前記スキャン再生制御手段は、前記スキャンステップ変更操作によって指定された数を前記スキップステップ数として設定することを特徴とするオーディオ再生装置。
【請求項６】
請求項１、２、３、４または５記載のオーディオ再生装置であって、
再生ボタンと、
前方スキップボタンと、
前記スキャン再生手段が前記スキャン再生を行っているときに、前記再生ボタンが操作された場合に、前記スキャン再生を停止し、当該時点で再生対象となっているオーディオトラックからの各オーディオトラックの再生を開始し、前記スキャン再生手段が前記スキャン再生を行っているときに、前記前方スキップボタンが操作された場合に、前記スキャン再生を停止し、当該時点で再生対象となっているオーディオトラックの次のトラック番号のオーディオトラックからの各オーディオトラックの再生を開始する通常再生復帰手段を有することを特徴とするオーディオ再生装置。
【請求項７】
請求項１、２、３、４または５記載のオーディオ再生装置であって、
再生ボタンと、
後方スキップボタンと、
前記スキャン再生手段が前記スキャン再生を行っているときに、前記再生ボタンが操作された場合に、前記スキャン再生を停止し、当該時点で再生対象となっているオーディオトラックからの各オーディオトラックの再生を開始し、前記スキャン再生手段が前記スキャン再生を行っているときに、前記後方スキップボタンが操作された場合に、前記スキャン再生を停止し、当該時点で再生対象となっているオーディオトラックの前のトラック番号のオーディオトラックからの各オーディオトラックの再生を開始する通常再生復帰手段を有することを特徴とするオーディオ再生装置。
【請求項８】
記録媒体に記録されたオーディオトラックを再生するオーディオ再生装置においてスキャン再生を制御するスキャン再生制御方法であって、
ユーザの所定のスキャン再生開始操作に応答して、スキップステップ数として２以上の整数を設定するステップと、
再生対象とするオーディオトラックの順番を示すトラック番号を、設定されたスキップステップ数づつ増加させながら、再生対象となったオーディオトラックの先頭部分を再生するスキャン再生を行うステップと、
前記スキャン再生中に、ユーザの所定のスキャンステップ変更操作に応答して、前記スキップステップ数を変化させるステップとを有することを特徴とするスキャン再生制御方法。
【請求項９】
コンピュータによって実行されるコンピュータプログラムであって、
前記コンピュータを、
記録媒体に記録されたオーディオトラックを再生するオーディオ再生装置であって、
再生対象とするオーディオトラックの順番を示すトラック番号を、設定されたスキップステップ数づつ増加させながら、再生対象となったオーディオトラックの先頭部分を再生するスキャン再生を行うスキャン再生手段と、
ユーザの所定のスキャン再生開始操作に応答して、前記スキップステップ数として２以上の整数を設定し、前記スキャン再生手段に前記スキャン再生を行わせると共に、前記スキャン再生手段が前記スキャン再生が行っている期間に、ユーザの所定のスキャンステップ変更操作に応答して、前記スキップステップ数を変化させるスキャン再生制御手段とを備えたオーディオ再生装置として機能させることを特徴とするコンピュータプログラム。
【発明の詳細な説明】
【技術分野】
【０００１】
本発明は、記録されたオーディオトラックを再生するオーディオ再生装置においてスキャン再生を制御する技術に関するものである。
【背景技術】
【０００２】
オーディオ再生装置における再生制御の技術として、再生対象とするオーディオトラックを切り替えながら、再生対象としたオーディオトラックの先頭部分を再生していくスキャン再生の技術が知られている。
また、このようなスキャン再生の技術としては、所定のボタンが押し続けられている期間中、再生対象とするオーディオトラックの曲番を複数曲番づつ進めていく技術も知られている（たとえば、特許文献１）。すなわち、この技術によれば、先頭部分を再生するオーディオトラックの曲番を、１、１０、２０といったように飛び飛びに進めていくことができる。
【特許文献１】特開2001-101769号公報
【発明の開示】
【発明が解決しようとする課題】
【０００３】
前記再生対象とするオーディオトラックの曲番を複数曲番づつ進めていくスキャン再生の技術によれば、一度に進める曲番の数が大きければ、曲番が後方のオーディオトラックにも速やかにアクセスできるようになる。しかし、その一方で、進める曲番の数が大きいと、目的とするオーディオトラックの曲番が、スキャン再生で再生される曲番と曲番の間のものである場合には、目的とするオーディオトラックの曲番に最も近い曲番のオーディオトラックまでスキャン再生で曲番を進めた後に、多くの煩雑な操作を行わなければなくなる。すなわち、オーディオトラックの曲番を１０曲番づつ進めていくスキャン再生を行う場合に、目的とするオーティオトラックの曲番が４４である場合には、ユーザは以下の操作を行う必要がある。
【０００４】
すなわち、この場合には、まず、ユーザは、オーディオ再生装置に、スキャン再生を行わせ曲番１、曲番１０、曲番２０、曲番３０、曲番４０の順に各曲番のオーディオトラックの先頭部分を再生させる。そして、曲番４０のオーディオトラックが再生されたならば、その後に、ユーザは、スキャン再生を停止し、前方スキップ（トラックアップ）を指示する操作を４回行って、再生するオーディオトラックの曲番を曲番４１、曲番４２、曲番４３、曲番４４と進める煩雑な操作を行わなければならない。
【０００５】
そこで、本発明は、ユーザが、より簡易に、目的とするオーディオトラックを見つけ出して再生できるようにスキャン再生を行うことのできるオーディオ再生装置を提供することを課題とする。
【課題を解決するための手段】
【０００６】
前記課題達成のために、本発明は、記録媒体に記録されたオーディオトラックを再生するオーディオ再生装置に、再生対象とするオーディオトラックの順番を示すトラック番号を、設定されたスキップステップ数づつ増加させながら、再生対象となったオーディオトラックの先頭部分を再生するスキャン再生を行うスキャン再生手段と、ユーザの所定のスキャン再生開始操作に応答して、前記スキップステップ数として２以上の整数を設定し、前記スキャン再生手段に前記スキャン再生を行わせると共に、前記スキャン再生手段が前記スキャン再生を行っている期間に、ユーザの所定のスキャンステップ変更操作に応答して、前記スキップステップ数を変化させるスキャン再生制御手段とを備えたものである。
【０００７】
このようなオーディオ再生処理装置によれば、再生対象とするオーディオトラックの曲番を複数曲番づつ進めるスキャン再生が可能であると共に、スキャン再生中に、曲番を進める数をユーザが変更することができる。よって、目的とするオーディオトラックの近くまでは、曲番を大きく進めるスキャン再生を行わせつつ、目的とするオーディオトラックに近づいたならば、曲番の進みを順次小さくしていくスキャン再生を行わせることなどが可能となる。そして、このようなスキャン再生を行わせることにより、より少ない操作で速やかに目的とするオーディオトラックを見つけ出して再生することができるようになる。また、目的とするオーディオトラックの曲番上の位置がおおまかにしか覚えていないような場合でも、確実に、目的とするオーディオトラックを見つけ出すことができるようになる。
【０００８】
ここで、以上のオーディオ再生装置において、前記スキャン再生制御手段は、前記スキャン再生開始操作によって指定された数を前記スキップステップ数として設定するようにしてもよい。また、この場合には、前記オーディオ再生装置に、第１のボタンを備え、前記スキャン再生制御手段において、前記スキャン再生手段が前記スキャン再生を行っていないときにユーザによって行われた、前記第１のボタンの押し操作を前記スキャン再生開始操作として受け付けると共に、当該スキャン再生開始操作として受け付けた前記第１のボタンの押し操作の継続期間に応じた数を、前記スキップステップ数として設定するようにしてもよい。
【０００９】
このようにすることにより、スキャン再生開始時のスキップステップ数を任意に設定することができるようになる。
また、以上のオーディオ再生装置において、前記スキャン再生制御手段は、前記スキャンステップ変更操作がある度に、前記スキップステップ数を所定レベルづつ減少させるようにしてもよい。
このようにすることにより、前述したスキャン再生における曲番の進みを順次小さくしながら目的のオーディオトラックを探し出す操作を、より簡易に行うことができるようになる。
ただし、以上のオーディオ再生装置において、前記スキャン再生制御手段は、前記スキャンステップ変更操作によって指定された数を前記スキップステップ数として設定するようにして、ユーザがスキャン再生中にスキャン再生における曲番の進みの大きさを、任意に設定できるようにしてもよい。
【００１０】
また、以上のオーディオ再生装置が、再生ボタンと、前方スキップボタンとを備えている場合には、前記スキャン再生手段が前記スキャン再生を行っているときに、前記再生ボタンが操作された場合に、前記スキャン再生を停止し、当該時点で再生対象となっているオーディオトラックからの各オーディオトラックの再生を開始し、前記スキャン再生手段が前記スキャン再生を行っているときに、前記前方スキップボタンが操作された場合に、前記スキャン再生を停止し、当該時点で再生対象となっているオーディオトラックの次のトラック番号のオーディオトラックからの各オーディオトラックの再生を開始する通常再生復帰手段を設けることが好ましい。また、以上のオーディオ再生装置が、再生ボタンと、後方スキップボタンとを備えている場合には、前記スキャン再生手段が前記スキャン再生を行っているときに、前記再生ボタンが操作された場合に、前記スキャン再生を停止し、当該時点で再生対象となっているオーディオトラックからの各オーディオトラックの再生を開始し、前記スキャン再生手段が前記スキャン再生を行っているときに、前記後方スキップボタンが操作された場合に、前記スキャン再生を停止し、当該時点で再生対象となっているオーディオトラックの前のトラック番号のオーディオトラックからの各オーディオトラックの再生を開始する通常再生復帰手段を設けることが好ましい。
【００１１】
これらのようにすることにより、スキャン再生によって先頭部分が再生されているオーディオトラックが目的とするオーディオトラックである場合に加え、スキャン再生によって先頭部分が再生されているオーディオトラックの前後のトラックが目的とするオーディオトラックである場合にも、一度のボタン操作で目的とするオーディオトラックを再生することができるようになる。
【発明の効果】
【００１２】
以上のように、本発明によれば、ユーザが、より簡易に、目的とするオーディオトラックを見つけ出して再生できるようにスキャン再生を行うことのできるオーディオ再生装置を提供することができる。
【発明を実施するための最良の形態】
【００１３】
以下、本発明の実施形態について説明する。
まず、第１の実施形態について説明する。
図１に本実施形態に係るオーディオ再生装置の構成を示す。
図示するように、本実施形態に係るオーディオ再生装置は、オーディオ処理装置１、表示装置２、入力装置３、スピーカやオーディオアンプ装置などのオーディオ出力装置４、オーディオトラック（オーディオファイル）を記憶したＨＤＤ５、オーディオトラックを記録したDVD-Audioディスク６１用のドライブ装置であるＤＶＤドライブ６とを有している。
【００１４】
そして、オーディオ処理装置１は、ＣＰＵ１１、メモリ１２、表示装置２に接続する表示インタフェース１３、オーディオ出力装置４に接続するオーディオ出力インタフェース１４、ＨＤＤ５に接続するＨＤＤインタフェース１５、ＤＶＤドライブ６に接続するＤＶＤドライブインタフェース１６、入力装置３に接続する入力インタフェース１７、ＨＤＤ５やDVD-Audioディスク６１から読み出されたオーディオトラックをデコードしオーディオ出力装置４に出力するオーディオデコーダ１８と、以上の各部を接続するバスとを備えている。ただし、オーディオデコーダ１８は、ＣＰＵ１１が所定のオーディオデコーダプログラムを実行することによりプロセスとしてオーディオ処理装置１上に形成されるものであってもよい。
【００１５】
なお、表示インタフェース１３、オーディオ出力インタフェース１４、ＨＤＤインタフェース１５、ＤＶＤドライブインタフェース１６、入力インタフェース１７は、各々接続する装置と、オーディオ処理装置１との間との入出力を処理するものである。
さて、このような構成において、ＣＰＵ１１は、所定のオーディオプレイヤプログラムを実行することによりオーディオプレイヤ１１として機能し、入力装置３で受け付けたユーザ操作に応じて、ＨＤＤ５に記録されているオーディオトラックや、ＤＶＤドライブ６に装着されたDVD-Audioディスク６１に記録されているオーディオトラックの再生を制御する。
【００１６】
ここで、図２ａに、オーディオ再生装置のユーザインタフェースを示す。
図示するように、本オーディオ再生装置のユーザインタフェースは、入力装置３の入力キーとして設けられた各種ボタン２０１-２０８と、表示装置２とを用いて構成される。そして、入力装置３の入力キーとしては、後方スキップボタン２０１、停止ボタン２０２、再生／一時停止ボタン２０３、前方スキップボタン２０４、スキャンボタン２０５、アップボタン２０６、ダウンボタン２０７、メニューボタン２０８が設けられている。
【００１７】
このような構成において、オーディオトラックの再生は次のように行われる。
すなわち、オーディオプレイヤ１１は、まず、ＨＤＤ５またはDVD-Audioディスク６１を再生対象ドライブとして設定する。この設定は、たとえば、ユーザのメニューボタン２０８の操作に応じて表示装置２に表示した所定のドライブ選択メニューを介して、ＨＤＤ５とＤＶＤドライブ６に装着されたDVD-Audioディスク６１との一方の選択を受付けることなどより行う。
【００１８】
また、オーディオプレイヤ１１は、再生対象ドライブに記録されている各オーディオトラックに、所定の規則に従ってトラック番号を与える。
そして、オーディオトラックの再生停止中に、ユーザが再生／一時停止ボタン２０３を操作したならば、オーディオプレイヤ１１は再生処理を起動する。起動された再生処理は、再生対象トラック番号のオーディオトラックを、再生対象ドライブに記録されているオーディオトラックを読み出し、オーディオデコーダ１８にオーディオ出力装置４に再生出力させ、再生対象トラック番号のオーディオトラックの再生が終了したならば、再生対象トラック番号を１進める処理などを繰り返し行う。なお、再生対象トラック番号の初期値は１とする。
【００１９】
また、ユーザが後方スキップボタン２０１を操作したならば、オーディオプレイヤ１１は、再生処理が起動中であれば再生処理を停止した上で、再生対象トラック番号を１小さくし、再生処理を起動する。また、ユーザが前方方スキップボタンを操作したならば、オーディオプレイヤ１１は、再生処理が起動中であれば再生処理を停止した上で、再生対象トラック番号を１大きくし、再生処理を起動する。
【００２０】
また、ユーザが再生／一時停止ボタン２０３を操作したならば、オーディオプレイヤ１１は、再生処理が実行中であれば再生処理を一時停止し、再生処理が一時停止中であれば再生処理を再開させる。
また、オーディオプレイヤ１１は、ユーザによってアップボタン２０６が操作されたならばオーディオ出力装置４の出力音量を増加させ、ユーザによってダウンボタン２０７が操作されたならばオーディオ出力装置４の出力音量を減少させる。
また、オーディオプレイヤ１１は、以下に示すスキャン制御処理を実行する。
図３ａに、このスキャン制御処理の手順を示す。
図示するように、この処理では、ユーザのスキャンボタン２０５の押し操作を待ち（ステップ３０２）、ユーザがスキャンボタン２０５の押し操作を行ったならば、ユーザがスキャンボタン２０５の押し操作を継続した時間を、所定の基準時間（たとえば、５００ｍｓ）で割った値を変数ｓ（ただし、ｓは自然数）として設定する（ステップ３０４）。ここで、このようにして行われるユーザの変数ｓの設定を支援するために、ユーザのスキャンボタン２０５の押し操作中に、各時点における、それまでのスキャンボタン２０５の押し操作継続時間を前記基準時間で割った値を計算し、計算した値を表示装置２に表示するようにしてもよい。ただし、ステップ３０４では、変数ｓとして固定値（たとえば、４や３や２）を設定するようにしてもよい。
【００２１】
次に、スキップステップ数をｓに設定し（ステップ３０６）、再生処理が起動中であれば再生処理を停止した上でスキャン再生処理を起動する（ステップ３０８）。
ここで、ステップ３０８で起動されるスキャン再生処理は、図３ｂに示すように、再生対象トラック番号をスキップステップ数分づつ増加させながら（ステップ３５２）、各再生対象トラック番号のオーディオトラックの先頭部分をＮ秒（たとえば、３秒）づつオーディオデコーダ１８にオーディオ出力装置４に再生出力させる（ステップ３５６）処理である。なお、このスキャン再生処理においては、ステップ３５２で設定した再生対象トラック番号が、再生対象ドライブに記録されている全オーディオトラック数より大きくなったならば（ステップ３５４）、再生対象トラック番号は１に戻すようにしている（ステップ３５８）。
【００２２】
図３ａのスキャン制御処理に戻り、スキャン再生処理を起動したならば（ステップ３０８）、前方スキップボタン２０４の操作（ステップ３１０）と、後方スキップボタン２０１（ステップ３１２）の操作と、再生／一時停止ボタン２０３の操作（ステップ３１４）と、スキャンボタン２０５の操作（ステップ３１６）の発生を監視する。
【００２３】
そして、スキャンボタン２０５の操作が発生したならば（ステップ３１６）、変数ｓが１より大きいかどうかを調べ（ステップ３１８）、大きくなければ、そのままステップ３１０-３１６の監視に戻る。一方、数ｓが１より大きければ、変数ｓの値を、当該値の半分の値に更新する（ステップ３２０）。ただし、ステップ３２０では、変数ｓの値を、当該値から所定数（たとえば、１）減じることにより、変数ｓの値を更新する処理としてもよい。
【００２４】
そして、更新後の変数ｓに、スキップステップ数を変更し（ステップ３２２）、ステップ３１０-３１６の監視に戻る。ここで、ステップ３２２でスキップステップ数が変更されると、スキャン再生処理のステップ３５２で行われる、再生対象トラック番号をスキップステップ数分づつ増加させる処理は、変更後のスキップステップ数を用いて行われることになる。
【００２５】
次に、再生／一時停止ボタン２０３の操作が発生した場合（ステップ３１４）には、スキャン再生処理を終了し、再生処理を起動し（ステップ３２８）、ステップ３０２に戻る。ここで、起動された再生処理は、スキャン再生処理によって設定されている現時点の再生対象トラック番号からオーディオトラックの再生を行うことになる。
【００２６】
次に、前方スキップボタン２０４の操作が発生した場合には（ステップ３１０）、スキャン再生処理によって設定されている現時点の再生対象トラック番号を、前方スキップボタン２０４が連続的に操作された回数（所定の基準時間間隔以内の時間間隔で連続して前方スキップボタン２０４が繰り返し押された回数）と同じ数だけ大きくした値を再生対象トラック番号とする（ステップ３２４）。そして、スキャン再生処理を終了し、再生処理を起動し（ステップ３２８）、ステップ３０２に戻る。ここで、起動された再生処理は、スキャン制御処理のステップ３２４で設定された再生対象トラック番号からオーディオトラックの再生を行うことになる。
【００２７】
そして、後方スキップボタン２０１の操作が発生した場合には（ステップ３１２）、スキャン再生処理によって設定されている現時点の再生対象トラック番号を、前方スキップボタン２０４が連続的に操作された回数と同じ数だけ小さくした値を再生対象トラック番号とする（ステップ３２６）。そして、スキャン再生処理を終了し、再生処理を起動し（ステップ３２８）、ステップ３０２に戻る。ここで、起動された再生処理は、スキャン制御処理のステップ３２４で設定された再生対象トラック番号からオーディオトラックの再生を行うことになる。
【００２８】
以上、本発明の第１実施形態について説明した。
以上のように本第１実施形態によれば、ユーザがスキャンボタン２０５を長押しするだけの簡単な操作で、スキャン再生開始時にスキャン再生における曲番の進みの大きさを任意に設定できると共に、スキャン再生中に、スキャンボタン２０５を押すだけの簡単な操作で、曲番を進める数を小さく変更することができる。よって、目的とするオーディオトラックの近くまでは、曲番を大きく進めるスキャン再生を行わせつつ、目的とするオーディオトラックに近づいたならば、曲番の進みを順次小さくしていくスキャン再生を行わせることなどが可能となる。そして、このようなスキャン再生を行わせることにより、より少ない操作で速やかに目的とするオーディオトラックを再生することができるようになる。また、目的とするオーディオトラックの曲番上の位置がおおまかにしか覚えていないような場合でも、確実に、目的とするオーディオトラックを見つけ出すことができるようになる。
【００２９】
また、スキャン再生によって先頭部分が再生されているオーディオトラックの近傍のオーディオトラックが目的とするオーディオトラックとなった場合に、ユーザは、両オーディオトラックの曲番の差分の回数、前方スキップボタン２０４や後方スキップボタン２０１を操作することによって、直ちに目的とするオーディオトラックを再生することができるようになる。
【００３０】
以下、本発明の第２実施形態について説明する。
本第２実施形態に係るオーディオ再生装置の構成は、図１に示した第１実施形態に係る構成と同様である。
ただし、本第２実施形態では、オーディオ再生装置のユーザインタフェースとして、図２ｂに示すように、図２ａに示したユーザインタフェースにおけるアップボタン２０６とダウンボタン２０７に代えて、ダイヤルボタン２２０を設けている。ここで、このダイヤルボタン２２０は、図２ｂ１に示すように、ユーザの回転操作と、ユーザの押し操作を受け付けことができる。
【００３１】
さて、本第２実施形態において、オーディオプレイヤ１１は、ユーザによってダイヤルボタン２２０が時計廻りに回転操作されたならば回転操作された回転角分、オーディオ出力装置４の出力音量を増加させ、ユーザによってダイヤルボタン２２０が反時計廻りに回転操作されたならば回転操作された回転角分、オーディオ出力装置４の出力音量を減少させる。
【００３２】
また、本第２実施形態において、オーディオプレイヤ１１は、図３に示したスキャン制御処理に代えて、図４に示すスキャン制御処理を行う。
図示するように、このスキャン制御処理では、まず、ユーザのスキャンボタン２０５の押し操作の発生を待ち（ステッ４０２）、ユーザがスキャンボタン２０５の押し操作を行ったならば、ユーザの再生／一時停止ボタン２０３の操作の発生（ステップ４０４）と、ステップ設定操作の発生（ステップ４０６）を監視する。
【００３３】
そして、再生／一時停止ボタン２０３の操作が発生した場合には、そのままステップ４０２に戻る。一方、ステップ設定操作が発生（ステップ４０６）した場合には、ステップ設定操作に応じた数をスキップステップ数として設定する（ステップ４０８）。ここで、ステップ設定操作は、ユーザのダイヤルボタン２２０の回転操作と押し下げ操作によって受け付ける。すなわち、ユーザがダイヤルボタン２２０を回転して押し下げたならば、ステップ４０８において、ダイヤルボタン２２０を押し下げた時点までにダイヤルボタン２２０が回転された回転角に応じた値を、スキップステップ数として設定する。ここで、ダイヤルボタン２２０が時計廻りに回転された場合には、正のスキップステップ数を、反時計廻りに回転された場合には、負のスキップステップ数を設定する。また、ダイヤルボタン２２０が回転された回転角が大きいほど、設定するスキップステップ数の絶対値を大きくする。ここで、このようにして行われるユーザのスキップステップ数の設定を支援するために、ユーザのダイヤルボタン２２０の回転操作中に、その時点でダイヤルボタン２２０の押し下げ操作が行われた場合に設定されることになるスキップステップ数を表示装置２に表示するようにしてもよい。
【００３４】
なお、ステップ４０２で、スキャンボタン２０５が操作された後は、ダイヤルボタン２２０の回転に応じたオーディオ出力装置４の音量の調整は行わない。すなわち、ステップ４０２でスキャンボタン２０５の操作の発生を監視している期間のみ、ダイヤルボタン２２０の回転に応じたオーディオ出力装置４の音量の調整を行う。
【００３５】
さて、以上のようにしてスキップステップ数を設定したならば（ステップ４０８）、再生処理が起動している場合には再生処理を停止した上で、スキャン再生処理を起動する（ステップ４１０）。
ここで、ステップ４１０で起動されるスキャン再生処理は、図３ｂに示した前記第１実施形態に係るスキャン再生処理と同様の処理である。
次に、スキャン再生処理を起動したならば（ステップ４１０）、再生／一時停止ボタン２０３の操作（ステップ４１２）と、前述したステップ設定操作（ステップ４１４）の発生を監視する。
そして、ステップ設定操作が発生したならば（ステップ４１４）、前述のようにステップ設定操作に応じた数をスキップステップ数として設定する（ステップ４１６）。そして、ステップ４１２、４１４の監視に戻る。ここで、ステップ４１６でスキップステップ数が変更されると、スキャン再生処理のステップ３５２で行われる、再生対象トラック番号をスキップステップ数分づつ増加させる処理は、変更後のスキップステップ数を用いて行われることになる。
【００３６】
次に、再生／一時停止ボタン２０３の操作が発生した場合（ステップ４１２）には、スキャン再生処理を終了し、再生処理を起動し（ステップ４１７）、ステップ４０２に戻る。ここで、起動された再生処理は、現時点の再生対象トラック番号からオーディオトラックの再生を行うことになる。
【００３７】
以上、本第２実施形態に係るスキャン制御処理について説明した。
なお、本スキャン制御においても、前記第１実施形態に係るスキャン制御処理と同様に、スキップ再生処理実行中において、ステップ４１２、４１４の監視と併せて、前方スキップボタン２０４と後方スキップボタン２０１の操作を監視し、前方スキップボタン２０４の操作が発生した場合には、スキャン再生処理によって設定されている現時点の再生対象トラック番号を、前方スキップボタン２０４が連続的に操作された回数と同じ数だけ大きくした値を再生対象トラック番号としてステップ４１８に進み、後方スキップボタン２０１の操作が発生した場合には、スキャン再生処理によって設定されている現時点の再生対象トラック番号を、前方スキップボタン２０４が連続的に操作された回数と同じ数だけ小さくした値を再生対象トラック番号として、ステップ４１８に進むようにしてもよい。
【００３８】
以上、第２の実施形態について説明した。
以上のように本第２実施形態によれば、ユーザがスキャン再生開始時およびスキャン再生中にスキャン再生における曲番の進みの大きさを、任意に設定できるようになる。
ところで、以上の第２実施形態のオーディオ装置は、ダイヤルボタン２２０に代えて、図２ｃに示すようなタッチパネル２３１を備えるようにしてもよい。
ここで、このタッチパネル２３１は、ユーザの左右方向へのなぞり操作を受け付けるタッチパネル２３１であり、たとえば、水平方向に配置した複数のスイッチより構成される。
この場合、オーディオプレイヤ１１は、スキャン再生を行っていない期間には、タッチパネル２３１の左から右方向へのなぞり操作があった場合にオーディオ出力装置４の音量を増加し、タッチパネル２３１の右から左方向へのなぞり操作があった場合にオーディオ処理装置１の音量を減少させる。
【００３９】
また、スキャン制御処理では、タッチパネル２３０のなぞり操作を前述したステップ設定操作として受け付け、左から右方向へのなぞり操作があった場合はなぞられた距離に比例する絶対値を持つ正の数をスキップステップ数として設定し、左から右方向へのなぞり操作があった場合はなぞられた距離に比例する絶対値を持つ負の数をスキップステップ数として設定する。
【図面の簡単な説明】
【００４０】
【図１】本発明の実施形態に係るオーディオ再生装置の構成を示すブロック図である。
【図２】本発明の実施形態に係るオーディオ再生装置のユーザインタフェースを示すブロック図である。
【図３】本発明の第１実施形態に係るオーディオ再生装置が行う処理を示すフローチャートである。
【図４】本発明の第２実施形態に係るオーディオ再生装置が行う処理を示すフローチャートである。
【符号の説明】
【００４１】
１…オーディオ処理装置、２…表示装置、３…入力装置、４…オーディオ出力装置、５…ＨＤＤ、６…ＤＶＤドライブ、１１…ＣＰＵ、１１…オーディオプレイヤ、１２…メモリ、１３…表示インタフェース、１４…オーディオ出力インタフェース、１５…ＨＤＤインタフェース、１６…ＤＶＤドライブインタフェース、１７…入力インタフェース、１８…オーディオデコーダ、２０１…後方スキップボタン、２０２…停止ボタン、２０３…再生／一時停止ボタン、２０４…前方スキップボタン、２０５…スキャンボタン、２０６…アップボタン、２０７…ダウンボタン、２０８…メニューボタン、２２０…ダイヤルボタン、２３０…タッチパネル。
【図１】
2006244648.tif 000003
【図２】
2006244648.tif 000004
【図３】
2006244648.tif 000005
【図４】
2006244648.tif 000006